(57)【要約】本発明の立体パズルブロック(1)は、お互いに直角になる十字結合が可能な様に上下が開放されて側面(11、31)に形成された結合溝(13、33)と側面(11、31)がお互いに一致する側面結合が可能な様に本体に形成された結合溝(13)の両側にそれぞれ形成された結合突起(14)及び結合孔(15)が形成され、上記十字結合を堅固にする為に上記結合溝(13、33)の左右側面に形成され、結合溝(13、33)が接する上下面(40、41)の接触部(42)に多数個のエンボシング(12)を形成させ、面白さと興味誘発の為に上記結合溝(13、33)の左右側面に形成された終断面(16、36)に固定されるコネクター(17)と上記コネクター(17)に電線で連結されて内部に内蔵された作動手段(21)が構成されて全年齢層が楽しむ事が出来、多様な形状でも多様で堅固な構造物組合が可能なものである。
2007532232.tif 000002
【特許請求の範囲】
【請求項１】
多面体で形成された立体パズルブロック（１）を構成するに於いて、上部が開放された本体（１０）と、下部が開放されて上記本体（１０）と結合するキャップ（３０）で構成され、上記本体（１０）とキャップ（３０）の側面（１１，３１）中央に形成され、立体パズルブロックが直角状態で結合可能に上下部が開放された結合溝（１３，３３）と、上記本体（１０）の側面（１１，３１）両側に他の立体パズルブロックと側面（１１，３１）が一致する様に形成された結合突起（１４）及び結合孔（１５）で構成された事を特徴とする立体パズルブロック（１）。
【請求項２】
上記本体（１０）とキャップ（３０）の結合を可能にし、上記結合溝（１３，３３）の終断面（１６，３６）で離隔される様に本体（１０）内部に構成され、上面にタブ孔（１９）が形成された多数個の支持台（２０）と、上記支持台（２０）に対応する様にキャップ（３０）に形成されたねじ孔（３９）と、上記支持台（２０）とねじ孔（３９）に依ってねじ（２２）で結合され、上記結合された立体パズルブロック（１）に発光または音発生の為に内蔵された作動手段（２１）と、上記作動手段（２１）に電線で連結されて電源を供給し、他の立体パズルブロック（１）と連動が可能である様にするコネクター（１７）を更に含んで構成された事を特徴とする請求項１に記載の立体パズルブロック。
【請求項３】
上記コネクター（１７）を立体パズルブロック（１）に固定させる為に上記結合溝（１３，３３）の左右側面と連接する終断面（１６，３６）に安着溝（１８，３８）を形成し、上記本体（１０）の安着溝（１８）と支持台（２０）の間に上記コネクター（１７）に嵌込められた絶縁体（１７−１）が位置する様にし、上記安着溝（１８，３８）の一致に依って上記コネクター（１７）が固定される事を特徴とする請求項１に記載の立体パズルブロック。
【請求項４】
上記結合溝（１３，３３）の左右側面と結合溝（１３，３３）が接する上面と下面（４０，４１）の接触部には結合力増大の為のエンボシング(embossing)（１２）を更に形成させた事を特徴とする請求項１に記載の立体パズルブロック。
【請求項５】
上記立体パズルブロック（１）は側面（１１，３１）の中央に形成されて側面結合と十字結合を可能にするT形結合溝（５１）と一致された上記T形結合溝（５１）に挿入されるI形結合ブロック（５２）で一致される事を特徴とする請求項１に記載の立体パズルブロック。
【請求項６】
上記立体パズルブロック（１）の側面（１１，３１）の中央に形成される結合溝（６１）の終断面（６１−１）に形成された軸孔（６２）と上記軸孔（６２）に挿入されて２つの立体パズルブロックの結合を可能にする固定軸（６３）で結合される事を特徴とする請求項１に記載の立体パズルブロック。
【請求項７】
上記立体パズルブロック（１）は側面（１１，３１）の中央に形成された結合溝（７１）の両左右側面に十字結合が可能である様に水平に形成する挿入突起（７２）と上面と下面（４０，４１）上に挿入溝（７５）が直角方向に形成され上記挿入突起（７２）と平行になる事を特徴とする請求項１に記載の立体パズルブロック。
【請求項８】
上記立体パズルブロックは十字結合が可能な様に多数個の側面（１１，３１）中一つの側面に形成された結合溝（８１）と、上記結合溝（８１）を除いた残りの側面（１１，３１）の上面または下面（４０，４１）に上記結合溝（８１）の左右側面と一致されるスライド溝（８２）で結合する事を特徴とする請求項１に記載の立体パズルブロック。
【発明の詳細な説明】
【技術分野】
【０００１】
本発明は立体パズルブロックに関するもので、より詳しくは側面結合と十字結合に依って多様な形状の組合が可能な様にした立体パズルブロックに関するものである。
【背景技術】
【０００２】
一般的にパズルブロックは知能開発と興味誘発を目的に使用されるもので、多様な形態のブロックで構成されて結合手段が欠如されたまま、各ブロックの面接触に依ってのみ、望む形状を構成するように使用されている実情である。
図1は従来の技術が適用されたパズルブロック等の形状を図示した斜視図であり、図2は従来の技術が適用されたパズルブロック等の組合を図示した斜視図で一緒に説明する。
従来の技術が適用されたパズルブロック(A)は絵合わせのような2次元パズル遊びを脱皮して3次元パズル遊びを志向するために開発されたもので、その構成と原理を察して見れば、多様な形状の多面体で構成されている。
そして各多面体の表面には多様な色相が塗色されるか、文字やキャラクターの様な多様なイメージが構成される。
【０００３】
上記のパズルブロック(A)を組合せる為には各パズルブロック(A)の面と面を接する事で立体形状を具現する事が出来る。
そして表面に構成されたイメージを利用する事も出来るが、易しい例では各パズルブロック(A)に文字を形成して各パズルブロック(A)を組合せして文字を作る事を挙げる事が出来る。
【０００４】
この様なパズルブロック(A)の場合、各パズルブロック(A)間の結合手段が欠如されて単に積み重ねて、望む形状を作る事が出来るだけである。
従って多様な形状の構造物を作るのには限界があり、全部作られた構造物のパズルブロック(A)が容易に離脱される事に依って構造物を装飾用で保存するのが不可能である。
この様な理由によって幼児等にだけ使用されるたけで、青少年や壮年等が楽しむには問題がある。
そして100種類以上の多様な形状のパズルブロック(A)等が一セットになる事に依って射出金型製作費が多く所要されて製作費がかかる。
【発明の開示】
【発明が解決しようとする課題】
【０００５】
本発明は上記の様な問題点を解決する為に発明されたもので、各ブロック間側面結合と十字結合に依って定形化された単一形状は勿論、非定形化された形状の構成と多様な構造物構成が可能で、製作費が低廉である立体パズルブロックを提供するのに目的がある。
【課題を解決するための手段】
【０００６】
この様な目的を達成する為の本発明に依る立体パズルブロックは、多面体で形成された立体パズルブロックに於いて、上部に開放された本体と、下部が開放されて上記本体と結合するキャップで構成され、上記本体とキャップの側面中央に形成され、立体パズルブロックが直角状態で結合可能に上下部が開放された結合溝と、上記本体の側面両側に他の立体パズルブロックと側面が一致するように形成された結合突起及び結合孔で構成された事を特徴とする。
【０００７】
本発明の望ましい実施例を添付図面に基づいて説明すれば次の様である。
本発明の技術が適用された立体パズルブロック(1)は多様な形状が可能であるが、本発明では便宜上三角プレート形状を例として説明する。
上記立体パズルブロック(1)は上部が開放された本体(10)と下部が開放されて本体(10)に結合するキャップ(30)で構成される。
【０００８】
上記本体(10)とキャップ(30)の側面(11、31)中央には上下に開放されて他の立体パズルブロック(1)と直角状態で結合するための結合溝(13、33)がそれぞれ形成され、上記本体(10)とキャップ(30)の結合溝(13、33)はお互いに一致する。
本体(10)の側面(11)両側には他の立体パズルブロック(1)と平面状態の結合が可能に結合突起(14)と上記結合突起(14)と対応する位置に結合孔(15)を形成する。
【０００９】
一致された本体(10)とキャップ(30)の内部には発光または音発生のために外部から電源の供給を受ける作動手段(21)が内蔵される。
上記作動手段(21)は外部電源の供給を受けて、他の立体パズルブロック(1)と直角状態で結合する場合、連動することが出来る様にリング形状の絶縁体(17-1)が嵌込められたコネクター(17)が具備されて上記作動手段(21)と電線によって連結される。
上記コネクター(17)を構成する為には本体(10)とキャップ(30)に形成された結合溝(13、33)の左右側面と連接される終断面(16、36)に安着溝(18、38)をそれぞれ形成する。
上記安着溝(18、38)と離隔される様に支持台(20)が多数個形成される。
【００１０】
従って、コネクター(17)は上記絶縁体(17-1)が本体(10)の安着溝(18、38)と支持台(20)の間に位置する様になり、コネクター(17)の前方は本体(10)に形成された安着溝(18、38)に位置する事でコネクター(17)は前後進が出来ない様に固定される。
上記支持台(20)の上面にはタブ孔(19)を形成し、タブ孔(19)と対応する様にキャップ(30)にねじ孔(39)を穿孔して本体(10)とキャップ(30)をねじ(22)に依って結合し、一致する上記安着溝(18、38)に依って上記コネクター(17)の前方が圧着される事に依って完全に固定される。
上記結合溝(13、33)の左右側面と上面(40)のねじ孔(39)の周囲に形成された接触部(42)、そして上記接触部(42)に対応する下面(41)の接触部(42)には立体パズルブロック(1)の直角結合時、摩擦力を増大させて結合力を向上させる事が出来るエンボシング(12)が多数個形成される。
【００１１】
本発明に依る立体パズルブロック(1)の上面(40)と下面(41)そして側面(11、31)には、それぞれお互いに相違する塗色をするか、立体的なイメージ形状も可能である。
つまり上記上面(40)と下面(41)にはブロック形状でイメージを表現する事も出来、凹んだ形状を構成して華麗な色相の充填物を入れるか、着脱が可能なイメージを挿入することで多様な組合を誘導する事が出来る。
上記のような本発明の立体パズルブロック(1)は、立体パズルブロック(1)の結合突起(14)が対応する立体パズルブロック(1)の結合孔(15)に、そして結合孔(15)は対応する立体パズルブロック(1)の結合突起(14)に挿入されることで上下面(40、41)が平行な結合になる。
この時、堅固な結合の為に結合突起(14)と結合孔(15)は中間差し込みが出来る様に加工する。
【００１２】
以下このような結合を側面結合と称する。
また一側立体パズルブロック(1)を90度回転させて一致した各結合溝(13、33)をお互いに差し込む事が出来る事でそれぞれの上下面(40、41)がお互いに直角になる様に結合する事になる。
この時、両立体パズルブロック(1)の結合溝(13、33)の左右側面と接触部(42)がお互いに接する様になる。
結合溝(13、33)の左右側面と接触部(42)に形成されたエンボシング(12)に依り摩擦力が増大してもっと堅固な結合になる。
【００１３】
以下この様な結合を十字結合と称する。
上記十字結合に依って各コネクター(17)が触接する様になりコネクター(17)の1つを通じて電源が供給され、発光または音を発生させる作動手段(21)が連動する様になる。
勿論この時、他のコネクター(17)と触接されていないコネクター(17)を通じて電源が供給される。
【００１４】
従って、上記の様な立体パズルブロック(1)は、一定の形態のブロックの単純な形状や複雑な形状など多様な立体形状を具現する事が出来る。
そして外面には多様な色相と形状のイメージが構成されていて、各色相とイメージを利用して更に多様なパズルを楽しむ事が出来る。
そして、十字結合を通じて電球が付いたり、スピーカーで多様な音などが出たりする事で好奇心と興味を誘発する様になる。
【００１５】
従って、全年齢層が自分の年齢に合うように楽しむ事が出来、特に装飾用にも利用可能であり、組合されたイメージの長期間保管が可能である。
そして形状が一定である事に依って、金型製作費があまりかからず低費用でも多様で高難度の立体パズルブロックを楽しむ事が出来るばかりでなく、形状が一定でいくつを紛失しても低価格でばら購入が容易である。
本発明による立体パズルブロック(1)に於いて、多様な形状のセットが可能であり、多くの数のブロックセットでなくても十分にパズルを楽しむ事が出来る長所がある。
【００１６】
図8は本発明の他の実施例の結合の斜視図で、結合突起(14)と結合孔(15)は省略される代りに、側面(11、31)にT形結合溝(51)が形成されて立体パズルブロック(1)の側面(11、31)がお互いに一致すれば各立体パズルブロック(1)のT形結合溝(51)はI形を成すことになる。
上記一致した立体パズルブロック(1)の各T形結合溝(51)に一致したT形結合溝(51)と形状が一致するI形結合ブロック(52)が挿入される事によって堅固な側面結合が完成される。
十字結合をする為にはI形結合ブロック(52)無しに、T形結合溝(51)同士がお互いに90度になった状態で差し込むと可能である。
【００１７】
図9は本発明の他の結合の実施例で、側面(11、31)に形成された結合溝(61)の終断面(61-1)に軸孔(62)を形成させ、上記軸孔(62)に中間嵌込みされる固定軸(63)を各立体パズルブロック(1)の軸孔(62)にお互いに挿入させることで堅固な側面結合が完成される。
【００１８】
図10はまた他の十字結合の実施例として立体パズルブロック(1)の側面(11)に形成された結合溝(71)の左右側面に挿入突起(72)が入口から終端まで水平に形成される。
上面(40)と下面(41)の直角方向に上記挿入突起(72)と平行な挿入溝(75)が形成される。
従って十字結合時、結合溝(71)の両挿入突起(72)を相手立体パズルブロック(1)の上面(40)と下面(41)に形成された挿入溝(75)に嵌込めば十字結合が完成される。
この場合、堅固な結合の為に挿入突起(72)と挿入溝(75)はお互いに中間嵌込みで結合される様に形成される。
【００１９】
図11はまた他の十字結合の実施例として立体パズルブロック(1)の多数個の側面(11、31)中一つの側面(11、31)に上下が開放された結合溝(81)を形成して、残りの側面(11、31)の上面(40)及び下面(41)にはお互いに対応するスライド溝(82)を形成する。
従って上記結合溝(81)の左右側面が上記スライド溝(82)に一致してお互いに直角で一致する十字結合が可能である。
上記に対応するスライド溝(82)の構成で形成される厚みCより結合溝(81)の幅Bが小さく加工されて中間嵌込みが出来る様にする事で人力で結合解除が容易で堅固な結合が可能である。
【００２０】
上記スライド溝(82)は上面(40)または下面(41)中一面にだけ構成し結合溝(81)と中間嵌込みが出来る様に幅Bを形成すればやはり堅固な十字結合が可能である。
コネクター(17)は上記スライド溝(82)と直角になる方向の側面(11、31)に装着し結合溝(81)の左右側面と連接する終断面(83)に装着することで上記十字結合に依って作動手段(21)が作動する様になる。
そして上記方法に依ると、側面(11、31)同士が一致する２つのブロックの側面結合に依っても作動手段(21)の作動が可能である。
本発明のパズルブロックでは堅固な結合と単一形状でも多様な構造物組合が可能であるばかりでなく、発光または音を発生させる作動手段の装着が可能である。
【発明の効果】
【００２１】
本発明に依る立体パズルブロックは結合突起と結合孔に依り側面結合が可能であり、エンボシングが形成された結合溝と接触部で十字結合が可能で多様で堅固な組合が可能であり、発光又は音を発生させる作動手段が内蔵されて十字結合時、作動する事で面白さと興味を誘発し、全年齢層が楽しむ事が出来、単純な形状に依って製作費が削減される効果がある。
【図面の簡単な説明】
【００２２】
【図１】従来の技術が適用されたパズルブロック等の形状を図示した斜視図。
【図２】従来の技術が適用されたパズルブロックの組合を図示した斜視図。
【図３】本発明の技術が適用された立体パズルブロックの側面結合の過程を図示した斜視図。
【図４】本発明の技術が適用された立体パズルブロックの十字結合の過程を図示した斜視図。
【図５】本発明の技術が適用された立体パズルブロックの側面及び十字結合が応用された組合を図示した斜視図。
【図６】本発明の技術が適用された立体パズルブロックの内部構造物を図示した分解斜視図。
【図７】本発明の技術が適用された立体パズルブロックにコネクターが装着された実例を図示した斜視図。
【図８】本発明の技術が適用された立体パズルブロックの側面結合に於いてI形結合ブロックを利用したまた他の実施例を図示した斜視図。
【図９】本発明の技術が適用された立体パズルブロックの側面結合に於いて、固定軸を利用したまた他の実施例を図示した断面図。
【図１０】本発明の技術が適用された 立体パズルブロックの十字結合に於いて、挿入突起及び挿入溝に依るまた他の実施例を図示した斜視図。
【図１１】本発明の技術が適用された立体パズルブロックの十字結合に於いて、結合溝及びスライド溝に依るまた他の実施例を図示した斜視図。
【図１】
2007532232.tif 000003
【図２】
2007532232.tif 000004
【図３】
2007532232.tif 000005
【図４】
2007532232.tif 000006
【図５】
2007532232.tif 000007
【図６】
2007532232.tif 000008
【図７】
2007532232.tif 000009
【図８】
2007532232.tif 000010
【図９】
2007532232.tif 000011
【図１０】
2007532232.tif 000012
【図１１】
2007532232.tif 000013
【国際調査報告】
2007532232.tif 000014
2007532232.tif 000015
2007532232.tif 000016